(57)【要約】【課題】小型化を可能にするとともに、ノイズの影響による不具合を抑制できる照明器具の開発をすることを目的とする。【解決手段】実施形態に係る照明器具は、光源と、第１面およびこの第１面と反対の第３面を有し、光源を点灯する点灯回路に含まれた第１変換器を第１面に沿った一端側に備え、光源を調光する調光回路を第１変換器から離間して第１面に沿った他端側に備えた第１の基板と、第２面およびこの第２面と反対の第４面を有し、給電回路に含まれた第２変換器を第２面に沿った一端側に備え、外部機器からの無線信号を受信する受信部を第２変換器から離間して第２面に沿った他端側に備えた第２の基板と、第１の基板の第３面と第２の基板の第４面が離間して対向する姿勢で、第１の基板および第２の基板を収容配置したケースと、を有する。【選択図】      図４
2017062946.tif 000002
【特許請求の範囲】
【請求項１】
光源と；
第１面およびこの第１面と反対の第３面を有し、前記光源を点灯する点灯回路に含まれた第１変換器を前記第１面に沿った一端側に備え、前記光源を調光する調光回路を前記第１変換器から離間して前記第１面に沿った他端側に備えた第１の基板と；
第２面およびこの第２面と反対の第４面を有し、給電回路に含まれた第２変換器を前記第２面に沿った一端側に備え、外部機器からの無線信号を受信する受信部を前記第２変換器から離間して前記第２面に沿った他端側に備えた第２の基板と；
前記第１の基板の前記第３面と前記第２の基板の前記第４面が離間して対向する姿勢で、前記第１の基板および第２の基板を収容配置したケースと；
を有する照明器具。
【請求項２】
前記第１の基板の他端と前記第２の基板の他端が対向して配置される、
請求項１の照明器具。
【請求項３】
前記第１の基板の一端と前記第２の基板の一端が対向して配置される、
請求項２の照明器具。
【請求項４】
光源を含む灯具と；
第１面およびこの第１面と反対の第３面を有し、前記光源を点灯する点灯回路に含まれた第１変換器を前記第１面に沿った一端側に備え、前記光源を調光する調光回路を前記第１変換器から離間して前記第１面に沿った他端側に備えた第１の基板と、第２面およびこの第２面と反対の第４面を有し、給電回路に含まれた第２変換器を前記第２面に沿った一端側に備え、外部機器からの無線信号を受信する受信部を前記第２変換器から離間して前記第２面に沿った他端側に備えた第２の基板と、を前記第３面と前記第４面が離間して対向する姿勢でケースに収容配置した器具本体と；
前記器具本体に隙間を介して前記灯具を連結し、前記灯具を前記器具本体に対して回動可能に支持した連結部材と；
を有する照明器具。
【請求項５】
前記第１の基板の他端と前記第２の基板の他端が対向して配置される、
請求項４の照明器具。
【請求項６】
前記第１の基板の一端と前記第２の基板の一端が対向して配置される、
請求項５の照明器具。
【発明の詳細な説明】
【技術分野】
【０００１】
本発明の実施形態は、例えば、ライティングダクトに取り付けられるスポットライトなどの照明器具に関する。
【背景技術】
【０００２】
従来、部屋の天井に設置したライティングダクトに取り付ける照明器具として、送信機からの無線信号による明るさの調整等の遠隔操作が可能な照明器具が知られている。
【０００３】
上記、従来の照明器具は、電源ケース内に収容された一枚の基板に点灯回路、調光回路、及び無線回路等を配置して構成されている。
【先行技術文献】
【特許文献】
【０００４】
【特許文献１】特開２０１２−１７４５４８号公報
【発明の概要】
【発明が解決しようとする課題】
【０００５】
このような、基板構造を有する照明器具の場合、小型化に伴って、点灯回路と、調光回路と、無線回路との間隔が近接する。点灯回路や無線回路に設けられる変換器等の一部の部品は、駆動に伴って多くのノイズを発生する。このノイズは、近接して配置されている回路に悪影響を与える。例えば、ノイズは、明かりのちらつきや無線の通信不良の原因となる。
【０００６】
そこで、本実施形態に係る照明器具は、小型化を可能にするとともに、ノイズの影響による不具合を抑制できる照明器具の開発をすることを目的とする。
【課題を解決するための手段】
【０００７】
実施形態に係る照明器具は、光源と、第１面およびこの第１面と反対の第３面を有し、光源を点灯する点灯回路に含まれた第１変換器を第１面に沿った一端側に備え、光源を調光する調光回路を第１変換器から離間して第１面に沿った他端側に備えた第１の基板と、第２面およびこの第２面と反対の第４面を有し、給電回路に含まれた第２変換器を第２面に沿った一端側に備え、外部機器からの無線信号を受信する受信部を第２変換器から離間して第２面に沿った他端側に備えた第２の基板と、第１の基板の第３面と第２の基板の第４面が離間して対向する姿勢で、第１の基板および第２の基板を収容配置したケースと、を有する。
【発明の効果】
【０００８】
本発明の照明器具によれば、小型化を可能にするとともに、ノイズの影響による不具合を抑制することができる。
【図面の簡単な説明】
【０００９】
【図１】図１は、実施形態に係る照明器具を示す斜視図である。
【図２】図２は、図１の照明器具のアームを備えた電源ケースを灯具側から見た斜視図である。
【図３】図３は、図１の照明器具をＦ３−Ｆ３に沿って見た断面斜視図である。
【図４】図４は、図３の電源ケースに収容されている状態の基板を示す概略図である。
【図５】図５は、図４の第１の基板をＦ５方向から見た概略図である。
【図６】図６は、図４の第２の基板をＦ６方向から見た概略図である。
【発明を実施するための形態】
【００１０】
以下、図面を参照しながら実施形態について詳細に説明する。  
図１は、照明器具の一例であるスポットライト１００の外観斜視図である。このスポットライト１００は、灯具４を電源ケース２に対して同軸に配置した図１に示す状態で、略円柱状の外観を有する。スポットライト１００は、略円柱状の電源ケース２と略円柱状の灯具４を有する。スポットライト１００は、電源ケース２の下にアーム３（連結部材）を介して灯具４を同軸に連結した構造を有し、灯具４を電源ケース２に対して回動可能としている。本実施形態では、電源ケース２の外径と灯具４の外径を同じ外径に設計した。
【００１１】
また、スポットライト１００は、電源ケース２の中心軸Ｃに沿った一端（図示上端）を図示しないライティングダクトに着脱可能に取り付けるためのプラグ１を有する。プラグ１は、周知技術であるため、ここではその詳細な説明を省略する。プラグ１は、スポットライト１００をライティングダクトに対して機械的および電気的に接続する。
【００１２】
一般に、ライティングダクトは、部屋の天井に取り付けられる。或いは、稀に、ライティングダクトは、部屋の壁に取り付けられる。以下の説明では、ライティングダクトを部屋の天井に取り付けたものとする。つまり、ここでは、スポットライト１００は、プラグ１をライティングダクトに取り付けた状態で、部屋の天井から下方に垂設されるものとする。この場合、スポットライト１００の中心軸Ｃが鉛直方向に沿い、灯具４が電源ケース２の鉛直下方に一定の隙間Ｓを介して配置される。
【００１３】
スポットライト１００は、灯具４を電源ケース２に対して回動可能に連結したアーム３を有する。図２は、アーム３を備えた電源ケース２を灯具４側から見た斜視図である。アーム３は、図２に示すように、電源ケース２の中心軸Ｃ１に対して偏心した位置に設けられている。
【００１４】
アーム３の電源ケース２側の一端は、図２に示すように、電源ケース２の中心軸Ｃ１と平行な第１回動軸Ｃ２を中心に灯具４を第１回動方向に回動させることができるように、電源ケース２の底壁２ａに取り付けられている。アーム３の灯具４側の他端は、電源ケース２の中心軸Ｃ１と直交する第２回動軸Ｃ３を中心に灯具４を第２回動方向に回動させることができるように、灯具４の放熱フィン５に取り付けられている（図１参照）。つまり、このアーム３は、第１回動方向と第２回動方向の組み合わせにより、電源ケース２に対して灯具４をあらゆる方向に自由に回動可能に連結する。
【００１５】
図３は、図１のスポットライト１００を中心軸Ｃに沿ってＦ３−Ｆ３で切断した断面斜視図である。以下、この図３も参照しながら、スポットライト１００の各部の構造および機能についてより詳細に説明する。
【００１６】
プラグ１は、ライティングダクトの図示しない溝に嵌め込まれて、電源ケース２の中心軸Ｃ１を中心に略９０°回動され、電源ケース２をライティングダクトに取り付ける。プラグ１をライティングダクトから取り外す際には、電源ケース２を逆方向に回動させる。
【００１７】
プラグ１は、電源ケース２（すなわち、スポットライト１００）を図示しないライティングダクトに対して機械的に連結するとともに、電源ケース２内に配設された後述する第１の基板６１や第２の基板６２などの制御基板６０（図３参照）をライティングダクトに電気的に接続する。プラグ１は、電源ケース２と図示しない電極を絶縁するため、樹脂により形成されている。
【００１８】
電源ケース２は、図２に示すように、中心軸Ｃ１に沿った一端に上述したプラグ１を備えているとともに、中心軸Ｃ１に沿った他端に円板状の底壁２ａを備えている。電源ケース２の内部には、図３に示すように、上述した制御基板６０の他に、外部機器との間で無線通信を行うための後述する無線モジュール６６（信号受信部）が設けられている。電源ケース２は、アルミニウムやアルミニウム合金などの金属により形成されており、器具本体として機能する。
【００１９】
金属製の底壁２ａは、アーム３の後述する円形の回動板３１ａを回動可能に受け入れる円形の貫通した遊嵌孔２ｂ（図２参照）を備えている。遊嵌孔２ｂは、底壁２ａの中心から偏心した位置に設けられている。つまり、アーム３は、図２に示すように、電源ケース２の中心軸Ｃ１に対して偏心した位置に取り付けられる。
【００２０】
電源ケース２の内部には、有底円筒形状の樹脂ケース２２が収容配置されている。樹脂ケース２２は、電源ケース２の内径より一回り小さな外径を有する。つまり、両者の間には、僅かな厚みの空気の層が設けられている。また、樹脂ケース２２の底壁２２ａと電源ケース２の底壁２ａとの間には、部分的に空間が空けられている。
【００２１】
樹脂ケース２２の底壁２２ａには、上述した空間に無線モジュール６６の後述するアンテナ６６２を落とし込むように底壁２ａに向けて凹んだスロット２２ｂが設けられている。このスロット２２ｂ内にアンテナ６６２を収容配置することで、アンテナ６６２を底壁２ａに近付けて配置することができる。
【００２２】
一方、電源ケース２の底壁２ａには、アンテナ６６２に対向する窓孔７０（図２、図３参照）が底壁２ａを貫通して設けられている。本実施形態では、窓孔７０は、アンテナ６６２がスロット２２ｂの底に対向する端面１０ａを囲う大きさを有する。しかし、窓孔７０は、例えば、アンテナ６６２の端面１０ａの少なくとも一部に対向する大きさであればよく、その形状も矩形に限らない。
【００２３】
また、樹脂ケース２２の中央には、図３に示すように、制御基板６０の第１の基板６１と第２の基板６２の間に配置された隔壁２２ｃが設けられている。隔壁２２ｃの下端は底壁２２ａから一体に立ち上げられている。隔壁２２ｃは、電源ケース２の中心軸Ｃに沿って樹脂ケース２２内の空間を２等分する位置に設けられている。すなわち、アーム３が中心軸Ｃから偏心して取り付けられた側に第１の基板６１が配置され、反対側に第２の基板６２が配置されるように、隔壁２２ｃは、第２回動軸Ｃ３（図２参照）と平行に延設されている。
【００２４】
なお、樹脂ケース２２の底壁２２ａには、２枚の第１の基板６１、第２の基板６２の下端をそれぞれ受け入れる溝が形成されている。２つの溝（図３では一方のみ図示）は、第１の基板６１、第２の基板６２の下端を挟んで互いに平行で且つ互いに離間して延びた２本のガイドレール６４の間に形成されている。また、樹脂ケース２２の底壁２２ａには、ケーブルを挿通するための貫通孔２２ｄが設けられている。
【００２５】
以下、制御基板６０の構成について、図３に加えて、図４から図６を用いて詳細に説明する。  
制御基板６０は、図３に示すように、第１の基板６１と第２の基板６２とを有する。第１の基板６１は、後述する調光回路６５等を実装する第１面６１ａと第１面６１ａの反対側に第３面６１ｂとを備えている。第２の基板６２は、後述する無線モジュール６６を実装する第２面６２ａと第２面６２ａの反対側に第４面６２ｂを備えている。
【００２６】
第１の基板６１と第２の基板６２は、中心軸Ｃに沿って並べて配置されている。言い換えれば、第１の基板６１と第２の基板６２は、隔壁２２ｃに沿って、第１の基板６１の第３面と、第２の基板６２の第４面が対向する位置に設けられている。また、第１の基板６１と第２の基板６２は、隔壁２２ｃを介して所定幅の間隔を空けて離間して設けられている。
【００２７】
第１の基板６１は、図４及び図５に示すように、点灯回路６３ａと、調光回路６５と、給電回路６８とを備えている。点灯回路６３ａは、第１変換器６３０と、コンデンサ６３１とを備えている。第１変換器６３０は、図示しない電源から供給された交流電圧を整流し、光源を点灯させる為の電圧に変換する。第１変換器６３０は、例えば、半導体スイッチとコイルとを用いた回路によって電圧の変換をする。第１変換器６３０は、いわゆるスイッチングレギュレータである。スイッチングレギュレータは、高速なスイッチの切替によりノイズを発生させる。
【００２８】
調光回路６５は、点灯回路６３ａと接続される電流検出回路である。すなわち、調光回路６５は、灯具４に設けられるＬＥＤに流れる電流量を検知するために用いられる回路である。
【００２９】
給電回路６８は、ＬＥＤの点灯に必要な電流を基板４２へ供給するための回路である。
【００３０】
また、第１の基板６１は、第１変換器６３０と調光回路６５を第１面６１ａに沿って互いに離間して配置している。
【００３１】
第２の基板６２は、図４及び図６に示すように、電源回路６３ｂと、無線モジュール６６を備えている。電源回路６３ｂは、第２変換器６３２と、コンデンサ６３１とを備えている。第２変換器６３２の機能については、上記の点灯回路６３ａの第１変換器６３０と同じであるためその詳細な説明は省略する。
【００３２】
無線モジュール６６は、接続ライン６６１とアンテナ６６２と、無線変換回路６６３とを備えている。接続ライン６６１は、一端をアンテナ６６２と電気的に接続され、他端を無線変換回路６６３と電気的に接続される配線である。アンテナ６６２は、図示しない外部機器からの無線信号を受信する部分である。無線変換回路６６３は、アンテナ６６２が受信した電気信号を無線信号に切り替える部分である。
【００３３】
なお、無線モジュール６６はアンテナ６６２と無線変換回路６６３とが一体的に設けられ、第２の基板６２にコネクタ接続される構成であってもよい。
【００３４】
また、第２の基板６２は、第１変換器６３０と無線モジュール６６を第１面６２ａに沿って離間して配置している。
【００３５】
灯具４は、図３に示すように、ＬＥＤ光源４１を実装した基板４２、レンズ４３、配光部材４４などを有する。灯具４の電源ケース２から離間した端部（図示下端）には、レンズ４３の光射出面４３ａが露出している。ＬＥＤ光源４１から発光されて配光部材４４およびレンズ４３を介して伝えられた光は、光射出面４３ａを介して照明光として射出される。
【００３６】
ＬＥＤ光源４１を実装した基板４２は、灯具４の筐体４０の中心にある取付面４０ａに密着して取り付けられる。基板４２と取付面４０ａの間には熱伝導率の高い接着剤などを介在させても良い。また、基板４２は、筐体４０の取付面４０ａにネジ留め固定されることが望ましい。筐体４０は、アルミニウムやアルミニウム合金などの金属により形成されている。
【００３７】
また、灯具４は、複数枚の板状の放熱フィン５を備えている。複数枚の放熱フィン５は、灯具４の筐体４０と一体に設けられる。複数の放熱フィン５は、レンズ４３の光射出面４３ａと反対の電源ケース２側に設けられ、灯具４の中心軸に沿って互いに平行に延出している。そして、複数の放熱フィン５のうち、フィンの並び方向の両端以外の内側の放熱フィン５の１つにアーム３の他端が固定される。本実施形態では、５枚ある放熱フィン５の中央の放熱フィン５０にアーム３を接続した。
【００３８】
図２に示すように、アーム３は、電源ケース２側に取り付ける連結片３１、および灯具４側に取り付ける固定ブロック３２を有する。アーム３は、アルミニウムやアルミニウム合金などの金属により形成されている。固定ブロック３２は、第２回動軸Ｃ３を中心に連結片３１に対して第２回動方向に回動可能に連結される。
【００３９】
連結片３１は、上述した回動板３１ａ、円筒部分３１ｂ、および板状部分３１ｃを一体に有する。円筒部分３１ｂは、回動板３１ａの第１回動軸Ｃ２に沿った一端側に同軸且つ一体に設けられている。板状部分３１ｃは、回動板３１ａの第１回動軸Ｃ２に沿った他端側に一体に設けられている。図２に示す状態で、円筒部分３１ｂは、電源ケース２の内部に配置される。
【００４０】
板状部分３１ｃは、回動板３１ａの中心軸Ｃ１から偏心して設けられている。このため、円筒部分３１ｂの貫通孔３１ｄの灯具４側の端部は、板状部分３１ｃに干渉しない位置で開口している。この貫通孔３１ｄには、電源ケース２内に配置した制御基板６０と灯具４内に配置した基板４２をつなぐ給電のための図示しない配線が挿通配置される。
【００４１】
固定ブロック３２は、図２及び図３に示すように、上述した連結片３１の板状部分３１ｃの第１回動軸Ｃ２側の面に重ねて配置される。つまり、固定ブロック３２は、板状部分３１ｃが回動板３１ａの第１回動軸Ｃ２に対して偏心した側と反対の面に重ねて配置される。固定ブロック３２は、中央の放熱フィン５０の一部として機能する。
【００４２】
固定ブロック３２は、図２及び図３に示すように、板状部分３１ｃと重なる中央部分３２ａおよび中央部分３２ａを間に挟んだ両側にある２つの固定部分３２ｂ、３２ｂを一体に有する。つまり、固定ブロック３２は、連結片３１の板状部分３１ｃの長手方向と交差する方向にクロスして延びている。
【００４３】
固定ブロック３２の中央部分３２ａは、図２に示すように、板状部分３１ｃの軸孔３１ｅに同軸に重なる軸孔３２ｃを有する。また中央部分３２ａは、この軸孔３２ｃに連通する凹所３２ｄを有する。凹所３２ｄは、板状部分３１ｃから離間した側に設けられている。さらに、中央部分３２ａは、固定ブロック３２を放熱フィン５の取付凹所５ａに対して位置決めするためのＶ字面３２ｅを有する。
【００４４】
中央部分３２ａを挟む２つの固定部分３２ｂ、３２ｂは、図２に示すように、中央部分３２ａに対して対称な構造を有する。各固定部分３２ｂは、固定ブロック３２を放熱フィン５の取付凹所５ａに固定するためのネジ（図示せず）を挿通するためのネジ孔３２ｆ（図５参照）をそれぞれ有する。各ネジ孔３２ｆは、第１回動軸Ｃ２と平行な方向に延びている。
【００４５】
次に、本実施形態の照明器具における制御基板６０のレイアウトとノイズの影響について説明する。
【００４６】
始めに、第１の基板６１に実装されている調光回路６５へのノイズの影響について考察する。  
第１の基板６１の第１変換器６３０は、スイッチの切替動作によりノイズを発生する。このため、ノイズの影響を受けやすい部材は、第１変換器６３０から物理的に離して配置することが望ましい。
【００４７】
本実施形態の第１の基板６１においては、調光回路６５は、回路上を流れる微量な電流量を検出して、光源の調光をする部材である。このため、第１変換器６３０からのノイズが調光回路６５に干渉すると、正確な電流値の検出が出来なくなる。これにより、明かりのちらつきが発生する。
【００４８】
そこで、本実施形態においては、調光回路６５と第１変換器６３０を第１の基板６１の第１面６１ａに沿って離間して配置した。具体的には、図５に示すように、第１変換器６３０は、第１の基板６１の図示上方の端部に配置される。一方、調光回路６５は、第１の基板６１の下端側で、第１の基板６１上において、対角にあたる位置に離間して配置される。これにより、第１変換器６３０のノイズが調光回路６５へ悪影響を及ぼすことを抑制できる。
【００４９】
また、第２の基板６２の第２変換器６３２は、スイッチ切替動作によりノイズを発生する。そこで、本実施形態において、調光回路６５を備える第１の基板６１の第１面６１ａは、上述の通り、第２の基板６２の第２面６２ａと距離ｄを離して配置されている。さらに、第２の基板６２のノイズ源の一つである第２変換器６３２は、図６に示すように、第２の基板６２の図示上方に配置されている。図４に示すように、調光回路６５は、第１の基板６１の下側に設けられている。すなわち、第２変換器６３２は、図４に示すように調光回路６５からみて、斜め上側に距離を取って設けられている。このため、第２変換器６３２のノイズは、調光回路６５に悪影響を与えることがない。
【００５０】
また、無線モジュール６６も電磁波を発生させるため調光回路６５へのノイズの悪影響が問題になる可能性がある。しかしながら、本実施形態においては、調光回路６５が設けられている第１の基板６１の第１面６１ａと無線モジュール６６を備えている第２の基板６２の第２面６２ａは、少なくとも、距離ｄだけ離間して配置されている。このため、調光回路６５に対して、無線モジュール６６からのノイズが悪影響を及ぼすことはない。
【００５１】
続いて、第２の基板６２に実装されている無線モジュール６６へのノイズの影響について考察する。  
無線モジュール６６は、外部機器から所定の周波数の信号を受信する。無線モジュール６６の近くに第１変換器６３０や第２変換器６３２が配置されていると、これらから発生したノイズが無線モジュール６６の信号の受信に悪影響を与え、外部機器と良好な通信が行えなくなる。
【００５２】
そこで、本実施形態においては、無線モジュール６６と第２変換器６３２を第２の基板６２の第２面６２ａに沿って離間して配置した。具体的には、図６に示すように、第２変換器６３２は、第２の基板６２の図示上方の端部に配置される。一方、無線モジュール６６は、第２の基板６２の下端側で、第２の基板６２上において、ほぼ対角にあたる位置に離間して配置される。これにより、第２変換器６３２から発生したノイズが無線モジュール６６へ悪影響を及ぼすことを抑制できる。
【００５３】
また、第１の基板６１の第１変換器６３０は、スイッチの切替動作によりノイズを発生する。そこで、本実施形態において、無線モジュール６６を備える第２の基板６２の第２面６２ａは、上述の通り、第１の基板６１の第１面６１ａと距離ｄを離して配置されている。さらに、第１の基板６１のノイズ源の一つである第１変換器６３０は、図５に示すように、第１の基板６１の図示上方に配置されている。図４に示すように、無線モジュール６６は、第２の基板６２の下側に設けられている。すなわち、第１変換器６３０は、図４に示すように無線モジュール６６からみて、斜め上側に距離を取って設けられている。このため、第１変換器６３０のノイズは、無線モジュール６６に悪影響を与えることがない。
【００５４】
このような構成を有するスポットライト１００は、調光回路６５及び無線モジュール６６へ、第１変換器６３０、６３２から発生したノイズが影響することがない。このため、調光回路６５は、電流量が少なくなる領域、明るさで言えば、暗らくなる側の領域における微小信号の検出が必要な光源の調光においても、光がちらつくことがない。
【００５５】
なお、本実施形態において、第１の基板６１の第１面６１ａと第２の基板６２の第２面６２ａは、互いに距離ｄだけ離れて互いに対向して配置されている。距離ｄについては、特に定められていないが、ノイズ低減の観点から言えば、第１面６１ａと第２面６２ａとは、離れているほど好ましい。
【００５６】
以下、無線モジュール６６のアンテナ６６２のレイアウト、このレイアウトに基づく効果、および上述した窓孔７０の機能について説明する。  
アンテナ６６２は、図３に示すように、スポットライト１００の中心軸Ｃに対して、アーム３の反対側に設けられている。また、アンテナ６６２は、上述したスロット２２ｂ内に配置することで、電源ケース２の底壁２ａに近付けて配置されている。言い換えると、アンテナ６６２は、電源ケース２と灯具４との間の隙間Ｓに近接対向して、アームから離間した側にレイアウトされている。
【００５７】
また、アンテナ６６２と隙間Ｓの間に介在する樹脂ケース２２の底壁２２ａが樹脂により形成され、且つアンテナ６６２に対向する底壁２ａの位置に窓孔７０が設けられている。このため、アンテナ６６２は、窓孔７０を介して電波を受信でき、無線信号を良好に受信できる。
【００５８】
また、制御基板６０を２つの第１の基板６１及び第２の基板６２に分離することにより、樹脂ケース２２の軸方向の長さを短く、全体として小型化することができる。
【００５９】
上述した実施形態は、例として提示したものであり、発明の範囲を限定することは意図していない。上述した実施形態は、その他の様々な形態で実施されることが可能であり、発明の要旨を逸脱しない範囲で、種々の省略、置き換え、変更を行うことができる。上述した実施形態やその変形は、発明の範囲や要旨に含まれると同様に、特許請求の範囲に記載された発明とその均等の範囲に含まれるものである。
【００６０】
例えば、上述した実施形態では、第１の基板６１及び第２の基板６２は、同じ大きさの基板を互いに対向するように配置しているが、基板配置はこれに限られない。すなわち、大きさの異なる複数の基板を用いることも可能である。また、本実施形態においては、円筒形の電源ケース２の内部に基板を配置する構成としているため、２枚の基板は、電源ケースの直径幅に近い、中心軸近くに配置されている。例えば、電源ケースが矩形である場合には、極端に言えば、対向する２面に沿って２枚の基板をそれぞれ対向するように配置することもできる。
【００６１】
また、本実施形態においては、スポットライトとして、電源ケース２と、灯具４とが別体の構造を備えているものを示しているが、光源である灯具４が電源ケース２に組み込まれていてもよい。また、本実施形態においては、スロット２２ｂにアンテナ６６２が収容されているが、スロット２２ｂに無線モジュール６６の構成の全てを収容する構成としてもよい。
【符号の説明】
【００６２】
１…プラグ、２…電源ケース、２ａ…底壁、２ｂ…遊嵌孔、３…アーム、４…灯具、５…放熱フィン、５ａ…取付凹所、１０ａ…端面、２２…樹脂ケース、２２ａ…底壁、２２ｂ…スロット、２２ｃ…隔壁、２２ｄ…貫通孔、３１…連結片、３１ａ…回動板、３１ｂ…円筒部分、３１ｃ…板状部分、３１ｄ…貫通孔、３１ｅ…軸孔、３２…固定ブロック、３２ａ…中央部分、３２ｂ…固定部分、３２ｃ…軸孔、３２ｄ…凹所、３２ｅ…Ｖ字面、３２ｆ…ネジ孔、４０…筐体、４０ａ…取付面、４１…ＬＥＤ光源、４２…基板、４３…レンズ、４３ａ…光射出面、４４…配光部材、５０…放熱フィン、６０…制御基板、６１…第１の基板、６１ａ…第１面、６１ｂ…第３面、６２…第２の基板、６２ａ…第２面、６２ｂ…第４面、６３ａ…点灯回路、６３ｂ…電源回路、６４…ガイドレール、６５…調光回路、６６…無線モジュール、６８…給電回路、７０…窓孔、１００…スポットライト、６３０…第１変換器、６３１…コンデンサ、６３２…第２変換器、６６１…接続ライン、６６２…アンテナ、６６３…無線変換回路。
【図１】
2017062946.tif 000003
【図２】
2017062946.tif 000004
【図３】
2017062946.tif 000005
【図４】
2017062946.tif 000006
【図５】
2017062946.tif 000007
【図６】
2017062946.tif 000008